(57)【要約】【課題】通常の撮影と自分撮りを同じような感覚で行うことができ、通常の撮影であるか自分撮りであるかを判断し、通常の撮影時の画像と自分撮り時の画像の向きを同じにすることができる撮像装置を提供する。【解決手段】光を電気的な信号に変換して画像を撮像する撮像手段と、第１のシャッタボタン（８）と、第２のシャッタボタン（９）と、所定の表示内容を表示する表示手段（４）とを備え、前記第１のシャッタボタンが押された場合、前記表示手段は前記撮像手段によって撮像された画像をそのまま表示、保存、および／または、上下逆であることを示す情報を付加して保存し、前記第２のシャッタボタンが押された場合、前記表示手段は前記撮像手段によって撮像された画像を逆さまにして表示、保存、および／または、上下逆であることを示す情報を付加して保存する。【選択図】図１
2009164755.tif 000002
【特許請求の範囲】
【請求項１】
光を電気的な信号に変換して画像を撮像する撮像手段と、
第１のシャッタボタンと、
第２のシャッタボタンと、
所定の表示内容を表示する表示手段とを備え、
前記第１のシャッタボタンが押された場合、通常の撮影だと判断し、
前記第２のシャッタボタンが押された場合、自分撮りであると判断することを特徴とする撮像装置。
【請求項２】
光を電気的な信号に変換して画像を撮像する撮像手段と、
第１のシャッタボタンと、
第２のシャッタボタンと、
所定の表示内容を表示する表示手段とを備え、
前記第１のシャッタボタンが押された場合、前記表示手段は前記撮像手段によって撮像された画像をそのまま表示し、
前記第２のシャッタボタンが押された場合、前記表示手段は前記撮像手段によって撮像された画像を逆さまにして表示、保存、および／または、上下逆であることを示す情報を付加して保存することを特徴とする撮像装置。
【請求項３】
互いにヒンジ部で開閉自在に連結された第１筐体及び第２筐体を備えるクラムシェル型のカメラ付き携帯電話であり、
前記第１筐体及び第２筐体を閉じた状態で内側になる側の前記第１筐体の面において前記表示部が配置され、
前記第１筐体の前記表示部が配置された面と反対側の面において前記撮像手段のレンズが配置され、
前記ヒンジ部の軸に対して垂直方向にある前記第１筐体または第２筐体の一方の側面において前記第１シャッタボタンが配置され、
前記第１筐体または第２筐体の前記第１シャッタボタンが配置された側面と反対側の側面において前記第２シャッタボタンが配置されることを特徴とする請求項１または２記載の撮像装置。
【請求項４】
ストレートバー型又はスライド型のカメラ付き携帯電話であり、
筐体の一方の面において前記表示部が配置され、
前記筐体の前記表示部が配置された面と反対側の面において前記撮像手段のレンズが配置され、
前記筐体の一方の側面において前記第１シャッタボタンが配置され、
前記筐体の前記第１シャッタボタンが配置された面と反対側の側面において前記第２シャッタボタンが配置されることを特徴とする請求項１または２記載の撮像装置。
【請求項５】
光を電気的な信号に変換して画像を撮像する撮像手段と、
シャッタボタンと、
通常撮影指定ボタンと、
自分撮り指定ボタンと、
所定の表示内容を表示する表示手段とを備え、
前記通常撮影指定ボタンが押された後、前記シャッタボタンが押された場合、前記表示手段は前記撮像手段によって撮像された画像をそのまま表示し、
前記自分撮り指定ボタンが押された後、前記シャッタボタンが押された場合、前記表示手段は前記撮像手段によって撮像された画像を逆さまにして表示することを特徴とする撮像装置。
【請求項６】
光を電気的な信号に変換して画像を撮像する撮像手段と、
シャッタボタンと、
通常撮影指定ボタンと、
自分撮り指定ボタンと、
所定の表示内容を表示する表示手段とを備え、
前記通常撮影指定ボタンが押されている状態で前記シャッタボタンが押された場合、前記表示手段は前記撮像手段によって撮像された画像をそのまま表示し、
前記自分撮り指定ボタンが押されている状態で前記シャッタボタンが押された場合、前記表示手段は前記撮像手段によって撮像された画像を逆さまにして表示、保存、および／または、上下逆であることを示す情報を付加して保存することを特徴とする撮像装置。
【請求項７】
互いにヒンジ部で開閉自在に連結された第１筐体及び第２筐体を備えるクラムシェル型のカメラ付き携帯電話であり、
前記第１筐体及び第２筐体を閉じた状態で内側になる側の前記第１筐体の面において前記表示部が配置され、
前記第１筐体の前記表示部が配置された面と反対側の面において前記撮像手段のレンズが配置され、
前記ヒンジ部の軸に対して垂直方向にある前記第１筐体または第２筐体の一方の側面において前記通常撮影指定ボタンが配置され、
前記第１筐体または第２筐体の前記通常撮影指定ボタンが配置された側面と反対側の側面において前記自分撮り指定ボタンが配置されることを特徴とする請求項５又は６に記載の撮像装置。
【請求項８】
ストレートバー型又はスライド型のカメラ付き携帯電話であり、
筐体の一方の面において前記表示部が配置され、
前記筐体の前記表示部が配置された面と反対側の面において前記撮像手段のレンズが配置され、
前記筐体の一方の側面において前記通常撮影指定ボタンが配置され、
前記筐体の前記通常撮影指定ボタンが配置された面と反対側の側面において前記自分撮り指定ボタンが配置されることを特徴とする請求項５又は６に記載の撮像装置。
【請求項９】
光を電気的な信号に変換して画像を撮像する撮像手段と、
シャッタボタンと、
自分撮り指定ボタンと、
所定の表示内容を表示する表示手段とを備え、
前記自分撮り指定ボタンが押されずに前記シャッタボタンが押された場合、前記表示手段は前記撮像手段によって撮像された画像をそのまま表示し、
前記自分撮り指定ボタンが押された後で前記シャッタボタンが押された場合、前記表示手段は前記撮像手段によって撮像されている画像を逆さまにして表示、保存、および／または、上下逆であることを示す情報を付加して保存することを特徴とする撮像装置。
【請求項１０】
光を電気的な信号に変換して画像を撮像する撮像手段と、
シャッタボタンと、
自分撮り指定ボタンと、
所定の表示内容を表示する表示手段とを備え、
前記自分撮り指定ボタンが押されていない状態で前記シャッタボタンが押された場合、前記表示手段は前記撮像手段によって撮像された画像をそのまま表示し、
前記自分撮り指定ボタンが押された状態で前記シャッタボタンが押された場合、前記表示手段は前記撮像手段によって撮像されている画像を逆さまにして表示、保存、および／または、上下逆であることを示す情報を付加して保存することを特徴とする撮像装置。
【請求項１１】
互いにヒンジ部で開閉自在に連結された第１筐体及び第２筐体を備えるクラムシェル型のカメラ付き携帯電話であり、
前記第１筐体及び第２筐体を閉じた状態で内側になる側の前記第１筐体の面において前記表示部が配置され、
前記第１筐体の前記表示部が配置された面と反対側の面において前記撮像手段のレンズが配置され、
前記ヒンジ部の軸に対して垂直方向にある前記第１筐体または第２筐体の一方の側面において前記通常撮影指定ボタンが配置され、
前記第１筐体または第２筐体の前記通常撮影指定ボタンが配置された側面と反対側の側面において前記自分撮り指定ボタンが配置されることを特徴とする請求項９又は１０に記載の撮像装置。
【請求項１２】
ストレートバー型又はスライド型のカメラ付き携帯電話であり、
筐体の一方の面において前記表示部が配置され、
前記筐体の前記表示部が配置された面と反対側の面において前記撮像手段のレンズが配置され、
前記筐体の一方の側面において前記通常撮影指定ボタンが配置され、
前記筐体の前記通常撮影指定ボタンが配置された面と反対側の側面において前記自分撮り指定ボタンが配置されることを特徴とする請求項９又は１０に記載の撮像装置。
【請求項１３】
撮影装置において撮影した画像を表示、保存する方法であって、
第１のシャッタボタンが押された場合、通常の撮影だと判断し、画像をそのまま表示、保存し、
第２のシャッタボタンが押された場合、自分撮りであると判断し、画像を逆さまにして表示、保存、および／または、上下逆であることを示す情報を付加して保存することを特徴とする方法。
【請求項１４】
撮影装置において請求項１３に記載の方法を実行させるプログラム。
【発明の詳細な説明】
【技術分野】
【０００１】
本発明は、撮像装置、例えば、カメラ付き携帯電話に関する。
【背景技術】
【０００２】
近年、携帯電話には、電話機能以外の様々な機能を備えているものが登場してきており、代表的には、ＣＣＤ（Charge Coupled Device）等の撮像素子を用いたカメラ機能を有するものがある。
【０００３】
図８は、従来のカメラ付き携帯電話の一例を示す平面図である。このカメラ付き携帯電話は、いわゆるクラムシェル型の形状を有し、互いにヒンジ部２３で開閉自在に連結された第１筐体２１と第２筐体２２とを備える。この図においては、これらの筐体を開いた状態を示す。図８（ａ）は、カメラ付き携帯電話を閉じた場合に内側になる面を示す。この面において、第１筐体２１は表示部２４を備え、第２筐体２２は操作部２５を備える。図８（ｂ）は、カメラ付き携帯電話を閉じた場合に外側になる面を示す。この面において、第１筐体２１はレンズ２６とサブ表示部２７とを備える。カメラ付き携帯電話は、これらの各部のほかに、説明を簡単にするために図示はしないが通常の携帯電話として備える部分、例えば、受話部、送話部、スピーカ等も当然備える。
【０００４】
操作部２５は、数字や文字や記号を入力するためのテンキー、特定の機能を起動させるための機能キー、表示部に表示された項目を選択するためのカーソルキー及び決定キー等を含む。また、操作部２５以外の部分、例えば、第１筐体２１又は第２筐体２２の側面等に、これらのキー又は他の操作手段の一部が存在していてもよい。代表的には、図８における、カメラ機能のシャッタボタンとして使用されるシャッタボタン２８である。シャッタボタン２８は、専用のものでなくてもよく、他の機能との兼用であってもよい。
【０００５】
表示部２４は、代表的には液晶画面であり、操作画面、アドレス帳、メール画面、発呼者の電話番号、レンズ２６を経て撮像素子によって撮影された画像などが表示される。また、カメラ機能の起動時には、レンズ２６を経て撮像素子によって現在取り込まれている画像が表示部２４にリアルタイムで表示される。
【０００６】
サブ表示部２７は、通常はカメラ付き携帯電話を折り畳んだ状態において見るために使用され、時計や着信時の発呼者の名前等を表示する。
【０００７】
操作部２５における所定のキー又は他の位置に設けられたキーを押すことによってカメラ機能を起動すると、レンズ２６から入射した光は、第１筐体２１内に配置された撮像素子に結像し、電気信号に変換されて、画像として表示部２４にリアルタイムで表示される。ユーザは、表示部２４に表示された画像を見ながらカメラ付き携帯電話を移動して構図を調節したり、操作部２５における所定のボタンを押下してズームを調節するなどして、所望の画像が得られた瞬間にシャッタボタン２８を押す。シャッタボタン２８を押した瞬間の画像がプレビュー画像として表示部２４に表示され、前記画像を保存するか破棄するかを選択させる選択項目が前記プレビュー画像に重なってさらに表示され、操作部２５における決定ボタンを押すと、前記画像は、カメラ付き携帯電話の内蔵メモリや、カメラ付き携帯電話に挿入されたメモリカード等に保存される。内蔵メモリやメモリカード等に保存された画像は、所定の操作によって表示部２４に表示させたり、電子メールに添付して送信したりすることができる。
【０００８】
シャッタボタン２８の位置が図８に示すような第２筐体２２の側面に設けられていると、横長の写真を撮る場合、通常のデジタルカメラで撮影する場合と同様の感覚でシャッタを押すことができ、使いやすくなる。
【０００９】
上述したようなカメラ付き携帯電話では、ユーザ自身や、ユーザ自身と隣にいる人物等を撮影する、いわゆる自分撮りが行われる場合がある。自分撮りを行う場合、通常の撮影時とは逆方向、すなわちユーザ自身のほうにレンズ２６を向けて撮影する。特許文献１には、サブ表示画面に撮影したプレビュー画像を表示し、自分撮りを行いやすくしたカメラ付き携帯電話が記載されている。
【００１０】
【特許文献１】特開２００３−１９８６７６号公報
【発明の開示】
【発明が解決しようとする課題】
【００１１】
自分撮りを行う場合、カメラ付き携帯電話を通常の撮影時とは逆方向に構え、レンズがユーザ自身の方向を向くようにする必要がある。このような自分撮りを行う場合、カメラ付き携帯電話の構え方は、以下の２通りが考えられる。
【００１２】
図９は、自分撮りを行う場合のカメラ付き携帯電話の第１の構え方を示す平面図である。図９（ａ）は、ユーザから見た場合のカメラ付き携帯電話を示す。この場合、ユーザはシャッタ８を右手の親指で押すことになり、操作しづらい。また、このような構え方で撮った画像は、図９（ｂ）に示すように、通常の撮影時と逆さまの状態で表示部２４に表示されてしまう。通常の撮影時には、画像を逆さまに撮影することは通常ないため、自分撮りした画像だけ逆さまになってしまい、後に閲覧又は保存するときに画像を回転させなければならず、面倒であった。
【００１３】
図１０は、自分撮りを行う場合のカメラ付き携帯電話の第２の構え方を示す平面図である。図１０（ａ）は、ユーザから見た場合のカメラ付き携帯電話を示す。この場合、ユーザはシャッタ２８を左手の人差し指で押すことになる。このような構え方で撮った画像は、図１０（ｂ）に示すように、通常の撮影時と同じ向きになる。しかしながらこのような構え方で自分撮りをする場合、ユーザは、自身や自身と隣の人物を画像内に収めるために、レンズ２６と自身との距離をできるだけ長くしなければならず、そのためには左手でカメラ付き携帯電話を持ち、シャッタ２８を押さなければならない。したがって、構図が限定されてしまうという問題があった。
【００１４】
本発明は、上述したことを鑑み、通常の撮影と自分撮りを同じような感覚で行うことができ、通常の撮影であるか自分撮りであるかを判断することができる撮像装置を提供する。
【課題を解決するための手段】
【００１５】
本発明の撮像装置は、光を電気的な信号に変換して画像を撮像する撮像手段と、第１のシャッタボタンと、第２のシャッタボタンと、所定の表示内容を表示する表示手段とを備え、前記第１のシャッタボタンが押された場合、前記表示手段は前記撮像手段によって撮像された画像をそのまま表示し、前記第２のシャッタボタンが押された場合、前記表示手段は前記撮像手段によって撮像された画像を逆さまにして表示、保存、および／または、上下逆であることを示す情報を付加して保存することを特徴とする。通常の撮影時には第１のシャッタボタンを使用し、自分撮りの場合には第２のシャッタボタンを使用するため、自分撮りをする際の第２のシャッタボタンの位置を通常の撮影時の第１のシャッタボタンの位置と同様の位置にすることができ、自分撮り時の操作性を向上させることができる。また、第２のシャッタボタンを押して自分撮りを行った場合に画像を逆さまにすることにより、第１のシャッタボタンを押して通常の撮影を行った場合と画像の向きを同じにすることができる。
【００１６】
本発明の撮像装置は、互いにヒンジ部で開閉自在に連結された第１筐体及び第２筐体を備えるクラムシェル型のカメラ付き携帯電話であってもよく、前記第１筐体及び第２筐体を閉じた状態で内側になる側の前記第１筐体の面において前記表示部が配置され、前記第１筐体の前記表示部が配置された面と反対側の面において前記撮像手段のレンズが配置され、前記ヒンジ部の軸に対して垂直方向にある前記第２筐体の一方の側面において前記第１シャッタボタンが配置され、前記第２筐体の前記第１シャッタボタンが配置された側面と反対側の側面において前記第２シャッタボタンが配置されていてもよい。
【００１７】
本発明の撮像装置は、ストレートバー型又はスライド型のカメラ付き携帯電話であってもよく、筐体の一方の面において前記表示部が配置され、前記筐体の前記表示部が配置された面と反対側の面において前記撮像手段のレンズが配置され、前記筐体の一方の側面において前記第１シャッタボタンが配置され、前記筐体の前記第１シャッタボタンが配置された面と反対側の側面において前記第２シャッタボタンが配置されていてもよい。
【００１８】
本発明の他の撮像装置は、光を電気的な信号に変換して画像を撮像する撮像手段と、シャッタボタンと、通常撮影指定ボタンと、自分撮り指定ボタンと、所定の表示内容を表示する表示手段とを備え、前記通常撮影指定ボタンが押された後、前記シャッタボタンが押された場合、前記表示手段は前記撮像手段によって撮像された画像をそのまま表示し、前記自分撮り指定ボタンが押された後、前記シャッタボタンが押された場合、前記表示手段は前記撮像手段によって撮像された画像を逆さまにして表示、保存、および／または、上下逆であることを示す情報を付加して保存することを特徴とする。
【００１９】
本発明のさらに他の撮像装置は、光を電気的な信号に変換して画像を撮像する撮像手段と、シャッタボタンと、通常撮影指定ボタンと、自分撮り指定ボタンと、所定の表示内容を表示する表示手段とを備え、前記通常撮影指定ボタンが押されている状態で前記シャッタボタンが押された場合、前記表示手段は前記撮像手段によって撮像された画像をそのまま表示し、前記自分撮り指定ボタンが押されている状態で前記シャッタボタンが押された場合、前記表示手段は前記撮像手段によって撮像された画像を逆さまにして表示、保存、および／または、上下逆であることを示す情報を付加して保存することを特徴とする。
【００２０】
本発明の撮像装置は、互いにヒンジ部で開閉自在に連結された第１筐体及び第２筐体を備えるクラムシェル型のカメラ付き携帯電話であってもよく、前記第１筐体及び第２筐体を閉じた状態で内側になる側の前記第１筐体の面において前記表示部が配置され、前記第１筐体の前記表示部が配置された面と反対側の面において前記撮像手段のレンズが配置され、前記ヒンジ部の軸に対して垂直方向にある前記第２筐体の一方の側面において前記通常撮影指定ボタンが配置され、前記第２筐体の前記通常撮影指定ボタンが配置された側面と反対側の側面において前記自分撮り指定ボタンが配置されていてもよい。
【００２１】
本発明の撮像装置は、ストレートバー型又はスライド型のカメラ付き携帯電話であってもよく、筐体の一方の面において前記表示部が配置され、前記筐体の前記表示部が配置された面と反対側の面において前記撮像手段のレンズが配置され、前記筐体の一方の側面において前記通常撮影指定ボタンが配置され、前記筐体の前記通常撮影指定ボタンが配置された面と反対側の側面において前記自分撮り指定ボタンが配置されていてもよい。
【００２２】
本発明のさらに他の撮像装置は、光を電気的な信号に変換して画像を撮像する撮像手段と、シャッタボタンと、自分撮り指定ボタンと、所定の表示内容を表示する表示手段とを備え、前記自分撮り指定ボタンが押されずに前記シャッタボタンが押された場合、前記表示手段は前記撮像手段によって撮像された画像をそのまま表示し、前記自分撮り指定ボタンが押された後で前記シャッタボタンが押された場合、前記表示手段は前記撮像手段によって撮像されている画像を逆さまにして表示、保存、および／または、上下逆であることを示す情報を付加して保存することを特徴とする。
【００２３】
本発明のさらに他の撮像装置は、光を電気的な信号に変換して画像を撮像する撮像手段と、シャッタボタンと、自分撮り指定ボタンと、所定の表示内容を表示する表示手段とを備え、前記自分撮り指定ボタンが押されていない状態で前記シャッタボタンが押された場合、前記表示手段は前記撮像手段によって撮像された画像をそのまま表示し、前記自分撮り指定ボタンが押された状態で前記シャッタボタンが押された場合、前記表示手段は前記撮像手段によって撮像されている画像を逆さまにして表示、保存、および／または、上下逆であることを示す情報を付加して保存することを特徴とする。
【００２４】
本発明の撮像装置は、互いにヒンジ部で開閉自在に連結された第１筐体及び第２筐体を備えるクラムシェル型のカメラ付き携帯電話であってもよく、前記第１筐体及び第２筐体を閉じた状態で内側になる側の前記第１筐体の面において前記表示部が配置され、前記第１筐体の前記表示部が配置された面と反対側の面において前記撮像手段のレンズが配置され、前記ヒンジ部の軸に対して垂直方向にある前記第２筐体の一方の側面において前記通常撮影指定ボタンが配置され、前記第２筐体の前記通常撮影指定ボタンが配置された側面と反対側の側面において前記自分撮り指定ボタンが配置されていてもよい。
【００２５】
本発明の撮像装置は、ストレートバー型又はスライド型のカメラ付き携帯電話であってもよく、筐体の一方の面において前記表示部が配置され、前記筐体の前記表示部が配置された面と反対側の面において前記撮像手段のレンズが配置され、前記筐体の一方の側面において前記通常撮影指定ボタンが配置され、前記筐体の前記通常撮影指定ボタンが配置された面と反対側の側面において前記自分撮り指定ボタンが配置されていてもよい。
【発明の効果】
【００２６】
本発明の撮像装置によれば、通常の撮影と自分撮りを同じような感覚で行うことができ、通常の撮影時の画像と自分撮り時の画像の向きを同じにすることができる。
【発明を実施するための最良の形態】
【００２７】
＜第１実施形態＞
図１は、本発明の撮像装置の第１の実施形態であるカメラ付き携帯電話を示す平面図である。本実施形態のカメラ付き携帯電話は、いわゆるクラムシェル型の形状を有する。本実施形態のカメラ付き携帯電話は、第１筐体１と、第１筐体１とは別個の第２筐体２とを備え、第１筐体１と第２筐体２は、互いにヒンジ部３で開閉自在に連結されている。この図においては、これらの筐体を開いた状態を示す。図１（ａ）は、カメラ付き携帯電話を閉じた場合に内側になる面を示す。この面において、第１筐体１は表示部４を備え、第２筐体２は操作部５を備える。図１（ｂ）は、カメラ付き携帯電話を閉じた場合に外側になる面を示す。この面において、第１筐体１はレンズ６とサブ表示部７とを備える。本実施形態のカメラ付き携帯電話は、これらの各部のほかに、説明を簡単にするために図示はしないが通常の携帯電話として備える部分、例えば、受話部、送話部、スピーカ等も当然備える。
【００２８】
操作部５は、数字や文字や記号を入力するためのテンキー、特定の機能を起動させるための機能キー、表示部に表示された項目を選択するためのカーソルキー及び決定キー等を含む。また、操作部５以外の部分、例えば、第１筐体又は第２筐体の側面等に、これらのキー又は他の操作手段の一部が存在していてもよい。
【００２９】
表示部４は、代表的には液晶画面であり、操作画面、アドレス帳、メール画面、発呼者の電話番号、レンズ６を経て撮像素子によって撮影された画像などが表示される。また、カメラ機能の起動時には、レンズ６を経て撮像素子によって現在取り込まれている画像が表示部４にリアルタイムで表示される。
【００３０】
サブ表示部７は、通常はカメラ付き携帯電話を折り畳んだ状態において見るために使用され、時計や着信時の発呼者の名前等を表示する。
【００３１】
本実施形態のカメラ付き携帯電話においては、第１筐体１または第２筐体２の一方の側面にカメラ機能のシャッタボタンとして使用される第１シャッタボタン８が配置され、その反対側の側面に第２シャッタボタン９が配置される。シャッタボタン８及び９は、専用のものでなくてもよく、他の機能との兼用であってもよい。
【００３２】
本実施形態のカメラ付き携帯電話では、ユーザから見て、通常の撮影時には図１（ａ）、自分撮りの場合には図１（ｂ）のように構える。自分撮りの場合には、画像は通常の撮影時と向きが逆さまになる。
【００３３】
通常の撮影時において、操作部５における所定のキー又は他の位置に設けられたキーを押すことによってカメラ機能を起動すると、レンズ６から入射した光は、第１筐体内に配置された撮像素子に結像し、電気信号に変換されて、画像として表示部４にリアルタイムで表示される。ユーザは、表示部４に表示された画像を見ながらカメラ付き携帯電話を移動して構図を調節したり、操作部５における所定のボタンを押下してズームを調節するなどして、所望の画像が得られた瞬間に第１シャッタボタン８を押す。第１シャッタボタン８を押した瞬間の画像がプレビュー画像として表示部４に表示され、前記画像を保存するか破棄の選択項目が前記プレビュー画像に重なってさらに表示され、操作部５における決定ボタンを押すと、前記画像は、カメラ付き携帯電話の内蔵メモリや、カメラ付き携帯電話に挿入されたメモリカード等に保存される。内蔵メモリやメモリカード等に保存された画像は、所定の操作によって表示部４に表示させたり、電子メールに添付して送信したりすることができる。
【００３４】
自分撮りにおいて、ユーザはカメラ機能を起動した本実施形態のカメラ付き携帯電話を図１（ｂ）のように構え、レンズを目分量で自分の方に向け、第２シャッタボタン９を押す。そして図１（ａ）のように持ち替え、通常の撮影時のようにプレビュー画像を確認して画像を保存するか又は破棄する。
【００３５】
本実施形態のカメラ付き携帯電話では、通常の撮影時には第１シャッタボタン８を、自分撮りの場合には第２シャッタボタン９を押して撮影する。第１シャッタボタン８及び第２シャッタボタン９のどちらが押されたかによって、通常の撮影が行われたのか、または自分撮りが行われたのかを判別する。第２シャッタボタン９が押されて自分撮りが行われたと判断した場合、画像をさかさまにして、通常の撮影による画像と同じ向きにする。
【００３６】
図２は、本実施形態のカメラ付き携帯電話の撮影時の動作を示すフローチャートである。ステップｓ１０１で、第１シャッタボタン８及び第２シャッタボタン９のいずれかが押されたかどうかを判定し、押された場合はステップｓ１０２に進む。ステップｓ１０２で、第１シャッタボタン８及び第２シャッタボタン９のどちらが押されたかどうかを判定し、第１シャッタボタン８が押された場合はステップｓ１０３に進み、第２シャッタボタン９が押された場合はステップｓ１０４に進む。ステップｓ１０４において、第２シャッタボタン９が押されているので自分撮りであると判別し、撮影された画像を１８０度回転し、ステップｓ１０３に進む。ステップｓ１０３において、撮影された画像を表示部４においてプレビュー画像として表示し、それに重ねて保存するか破棄するかを選択させる選択項目を表示する。このとき、通常に撮影された画像も、自分撮りで撮影された画像も、同じ向きをむいていることになる。ユーザは、表示部４において表示されたプレビュー画像を確認し、操作部５におけるカーソルキーを操作して、保存及び破棄のうちいずれかの選択項目を選択し、操作部５における決定キーを押し、選択を確定する。ステップｓ１０５において、保存と破棄のどちらが選択されたかを判定し、保存が選択された場合、ステップｓ１０６で、画像をカメラ付き携帯に内蔵されたメモリ、又は、カメラ付き携帯に挿入されたメモリカードに保存し、動作を終了する。ステップｓ１０５において破棄が選択された場合、ステップｓ１０７で画像を破棄し、ステップｓ１０１に戻る。
【００３７】
ステップｓ１０４における画像の回転は、以下のように行うことができる。図３は、画像の回転を説明する図である。左側に回転前の画像を示し、右側に回転後の画像を示す。画像の大きさをＸ×Ｙ画素とし、回転前の画像の左上の画素を（０，０）とすると、右下の画素は（Ｘ，Ｙ）である。すべての画素（ｘ，ｙ）を画素（Ｘ−ｘ，Ｙ−ｙ）に置き換えることで画像を１８０度回転させることができる。
【００３８】
また、ステップｓ１０６における画像の保存において、上下逆であることを示す情報を付加して画像を保存してもよい。例えば、デジタルカメラ画像のＥｘｉｆフォーマットにおいては画像方向というプロパティがあり、上下逆であることを設定することができる。
【００３９】
カメラ付き携帯電話を含むデジタルカメラにおいては、コントラストが最も高くなるレンズ位置を探し、ピント合わせを行う機能を持つものがある。図４は、コントラストとレンズ位置との関係を説明するグラフである。第２シャッタボタン９が押されることによって自分撮りが行われると判断した場合、被写体、すなわち自分撮りを行っているユーザまでの距離を、人間の手の長さである数１０ｃｍ〜１ｍ程度と判断するようにしてもよい。これにより、被写体にピントが合うレンズ位置の決定に要する時間を短くすることができる。
【００４０】
また、ピントが合うレンズの位置から、被写体までの距離が数１０ｃｍ〜１ｍ程度の時は自分撮りであると判断し、自分撮りを行っているユーザの方を向いているサブ表示部７にプレビュー画像を表示する。これにより、ユーザがプレビュー画像を確認するのが容易になる。
【００４１】
さらに、自分撮りであると判定された場合、ホワイトバランス等の設定を人物の撮影向けに調節したり、肌の色調補正アルゴリズムを適用するようにしてもよい。
【００４２】
＜第２実施形態＞
図５は、本発明の撮像装置の第２の実施形態であるカメラ付き携帯電話を示す平面図である。この図において、図１に示す第１の実施形態のカメラ付き携帯電話と同様の部分は同じ参照符で示す。本実施形態のカメラ付き携帯電話は、いわゆるクラムシェル型の形状を有する。本実施形態のカメラ付き携帯電話は、第１筐体１と、第１筐体１とは別個の第２筐体２とを備え、第１筐体１と第２筐体２は、互いにヒンジ部３で開閉自在に連結されている。この図においては、これらの筐体を開いた状態を示す。図５（ａ）は、カメラ付き携帯電話を閉じた場合に内側になる面を示す。この面において、第１筐体１は表示部４を備え、第２筐体２は操作部５を備える。図５（ｂ）は、カメラ付き携帯電話を閉じた場合に外側になる面を示す。この面において、第１筐体１はレンズ６とサブ表示部７とを備える。本実施形態のカメラ付き携帯電話は、これらの各部のほかに、説明を簡単にするために図示はしないが通常の携帯電話として備える部分、例えば、受話部、送話部、スピーカ等も当然備える。
【００４３】
操作部５は、数字や文字や記号を入力するためのテンキー、特定の機能を起動させるための機能キー、表示部に表示された項目を選択するためのカーソルキー及び決定キー等を含む。また、操作部５以外の部分、例えば、第１筐体又は第２筐体の側面等に、これらのキー又は他の操作手段の一部が存在していてもよい。
【００４４】
表示部４は、代表的には液晶画面であり、操作画面、アドレス帳、メール画面、発呼者の電話番号、レンズ６を経て撮像素子によって撮影された画像などが表示される。また、カメラ機能の起動時には、レンズ６を経て撮像素子によって現在取り込まれている画像が表示部４にリアルタイムで表示される。
【００４５】
サブ表示部７は、通常はカメラ付き携帯電話を折り畳んだ状態において見るために使用され、時計や着信時の発呼者の名前等を表示する。
【００４６】
本実施形態のカメラ付き携帯電話においては、操作部５における所定のキー、例えば、決定キー１０をシャッタボタンとして使用する。
【００４７】
操作部５における所定のキー又は他の位置に設けられたキーを押すことによってカメラ機能を起動すると、レンズ６から入射した光は、第１筐体内に配置された撮像素子に結像し、電気信号に変換されて、画像として表示部４にリアルタイムで表示される。ユーザは、表示部４に表示された画像を見ながらカメラ付き携帯電話を移動して構図を調節したり、操作部５における所定のボタンを押下してズームを調節するなどして、所望の画像が得られた瞬間に決定キー１０を押す。決定キー１０を押した瞬間の画像がプレビュー画像として表示部４に表示され、前記画像を保存するか破棄の選択項目が前記プレビュー画像に重なってさらに表示され、操作部５における決定ボタンを押すと、前記画像は、カメラ付き携帯電話の内蔵メモリや、カメラ付き携帯電話に挿入されたメモリカード等に保存される。内蔵メモリやメモリカード等に保存された画像は、所定の操作によって表示部４に表示させたり、電子メールに添付して送信したりすることができる。
【００４８】
本実施形態のカメラ付き携帯電話は、第１筐体１または第２筐体２の一方の側面に通常撮影指定ボタン１１が配置され、その反対側の側面に自分撮り指定ボタン１２が配置される。通常撮影指定ボタン１１が押された後に、又は、通常撮影指定ボタン１１が押された状態で決定キー１０（シャッタボタン）が押された場合、通常の撮影であると判定し、自分撮り指定ボタン１２が押された後に、又は、自分撮り指定ボタン１２が押された状態で決定キー１０（シャッタボタン）が押された場合、自分撮りであると判定する。以降の処理は第１の実施形態と同様である。
【００４９】
通常撮影指定ボタン１１及び自分撮り指定ボタン１２は、図５に示すような第２筐体２の側面ではなく、他の部分、例えば、操作部５の一部として設けてもよい。
【００５０】
また、通常撮影指定ボタン１１及び自分撮り指定ボタン１２の一方のみを設けても同様の効果が得られる。例えば、自分撮り指定ボタン１２のみを設け、決定キー１０（シャッタボタン）のみが押された場合は通常の撮影が行われたと判定し、自分撮り指定ボタン１２が押されてから、又は、自分撮り指定ボタン１２が押された状態で決定キー１０（シャッタボタン）が押された場合は自分撮りが行われたと判定するようにしてもよい。
【００５１】
＜第３実施形態＞
本発明の撮像装置は、上記で説明したようなクラムシェル型のカメラ付き携帯電話でなくてもよく、例えば、スライド型、ストレートバー型のカメラ付き携帯電話であってもよい。図６は、本発明の撮像装置の第３の実施形態であるストレートバー型のカメラ付き携帯電話を示す平面図である。この図において、図１に示す第１の実施形態のカメラ付き携帯電話と同様の部分は同じ参照符で示す。本実施形態のカメラ付き携帯電話は、筐体１３を備え、筐体１３の図９（ａ）に示す面において、表示部４と操作部５が配置され、図９（ｂ）に示す面において、レンズ６が配置される。本実施形態のカメラ付き携帯電話は、これらの各部のほかに、説明を簡単にするために図示はしないが通常の携帯電話として備える部分、例えば、受話部、送話部、スピーカ等も当然備える。
【００５２】
本実施形態のカメラ付き携帯電話においては、筐体１３の一方の側面にカメラ機能のシャッタボタンとして使用される第１シャッタボタン８が配置され、その反対側の側面に第２シャッタボタン９が配置される。シャッタボタン８及び９は、専用のものでなくてもよく、他の機能との兼用であってもよい。
【００５３】
本実施形態のカメラ付き携帯電話では、ユーザから見て、通常の撮影時には図６（ａ）、自分撮りの場合には図６（ｂ）のように構える。自分撮りの場合には、画像は通常の撮影時と向きが逆さまになる。
【００５４】
通常の撮影時において、操作部５における所定のキー又は他の位置に設けられたキーを押すことによってカメラ機能を起動すると、レンズ６から入射した光は、第１筐体内に配置された撮像素子に結像し、電気信号に変換されて、画像として表示部４にリアルタイムで表示される。ユーザは、表示部４に表示された画像を見ながらカメラ付き携帯電話を移動して構図を調節したり、操作部５における所定のボタンを押下してズームを調節するなどして、所望の画像が得られた瞬間にシャッタボタン８を押す。シャッタボタン８を押した瞬間の画像がプレビュー画像として表示部４に表示され、前記画像を保存するか破棄の選択項目が前記プレビュー画像に重なってさらに表示され、操作部５における決定ボタンを押すと、前記画像は、カメラ付き携帯電話の内蔵メモリや、カメラ付き携帯電話に挿入されたメモリカード等に保存される。内蔵メモリやメモリカード等に保存された画像は、所定の操作によって表示部４に表示させたり、電子メールに添付して送信したりすることができる。
【００５５】
自分撮りにおいて、ユーザはカメラ機能を起動した本実施形態のカメラ付き携帯電話を図６（ｂ）のように構え、レンズを目分量で自分の方に向け、第２シャッタボタン９を押す。そして図６（ａ）のように持ち替え、通常の撮影時のようにプレビュー画像を確認して画像を保存するか又は破棄する。
【００５６】
本実施形態のカメラ付き携帯電話では、第１の実施形態と同様、通常の撮影時には第１シャッタボタン８を、自分撮りの場合には第２シャッタボタン９を押して撮影する。第１シャッタボタン８及び第２シャッタボタン９のどちらが押されたかによって、通常の撮影が行われたのか、または自分撮りが行われたのかを判別する。以降の処理は第１の実施形態と同様である。
【００５７】
＜第４実施形態＞
また、本発明の撮像装置は、カメラ付き携帯電話でなくてもよく、例えば、デジタルカメラであってもよい。図７は、本発明の第４の実施形態であるデジタルカメラを示す平面図である。本実施形態のデジタルカメラは、筐体１４の図７（ａ）に示す面において、表示部１５と、操作部１６とを備える。本実施形態のデジタルカメラは、筐体１４の図７（ｂ）に示す面において、レンズ１７と、フラッシュ１８とを備える。本実施形態のデジタルカメラは、これらの各部のほかに、説明を簡単にするために図示はしないが通常のデジタルカメラとして備える部分も当然備える。
【００５８】
操作部１６は、撮影モードを切り替えたり、撮影された画像を消去したり、ズームを調節したりするために使用される、ボタンやダイヤル等を含む。また、操作部１６は、筐体１４の図７（ａ）に示す面以外の部分に、少なくともその一部が配置されていてもよい。
【００５９】
表示部１５は、代表的には液晶画面であり、レンズ１７を経て撮像素子によって撮影された画像や、設定画面などが表示される。
【００６０】
本実施形態のデジタルカメラにおいては、筐体１４の図７（ａ）に示す向きにおいて、上面右側において第１シャッタボタン１９が配置され、下面右側において第２シャッタボタン２０が配置される。
【００６１】
本実施形態のデジタルカメラでは、ユーザから見て、通常の撮影時には図７（ａ）、自分撮りの場合には図７（ｂ）のように構える。
【００６２】
通常の撮影時において、操作部１６における所定のスイッチを切り替えることによってデジタルカメラを撮影モードにすると、レンズ１７から入射した光は、デジタルカメラの筐体内に配置された撮像素子に結像し、電気信号に変換されて、画像として表示部１５にリアルタイムで表示される。ユーザは、表示部１５に表示された画像を見ながらデジタルカメラを移動して構図を調節したり、操作部１６における所定のボタンを押下してズームを調節するなどして、所望の画像が得られた瞬間に第１シャッタボタン１９を押す。第１シャッタボタン１９を押した瞬間の画像がプレビュー画像として一定の期間表示部１５に表示され、その後、デジタルカメラの内蔵メモリや、デジタルカメラに挿入されたメモリカード等に保存される。内蔵メモリやメモリカード等に保存された画像は、所定の操作によって表示部１５に表示させることができる。
【００６３】
自分撮りの場合には、画像は通常の撮影時と向きが逆さまになる。本実施形態のデジタルカメラでは、自分撮りの場合には第２シャッタボタン２０を押して撮影する。第１シャッタボタン１９及び第２シャッタボタン２０のどちらが押されたかによって、通常の撮影が行われたのか、または自分撮りが行われたのかを判別することができる。以降の処理は第１の実施形態と同様である。
【００６４】
以上説明したように、本発明によれば、通常撮影用のシャッタボタンと自分撮り用のシャッタボタンを設けることで、または、通常撮影指定ボタンと自分撮り指定ボタンを設けることで、通常撮影時と同様の感覚で自分撮りを行うことができ、通常撮影と自分撮りとを識別し、自分撮り時の画像に上下逆であることを示す情報を付加する、又は、自分撮り時の画像を逆さまにすることで、通常撮影時の画像と自分撮り時の画像とを同じ向きにすることができる。
【００６５】
本発明は、撮像装置だけでなく、撮像装置において上記で説明した実施の形態を実現する方法であってもよく、その方法を撮像装置において実行させるプログラム、又は、このプログラムを格納した記憶媒体であってもよい。
【産業上の利用可能性】
【００６６】
本発明は、撮像装置に利用可能であり、例えば、カメラ付き携帯電話に利用可能である。
【図面の簡単な説明】
【００６７】
【図１】（ａ）及び（ｂ）は本発明の撮像装置の第１の実施形態であるカメラ付き携帯電話を示す平面図である。
【図２】本発明の撮像装置の第１の実施形態であるカメラ付き携帯電話の撮影時の動作を示すフローチャートである。
【図３】画像の回転を説明する図である。
【図４】コントラストとレンズ位置との関係を説明するグラフである。
【図５】（ａ）及び（ｂ）は本発明の撮像装置の第２の実施形態であるカメラ付き携帯電話を示す平面図である。
【図６】（ａ）及び（ｂ）は本発明の撮像装置の第３の実施形態であるストレートバー型のカメラ付き携帯電話を示す平面図である。
【図７】（ａ）及び（ｂ）は本発明の第４の実施形態であるデジタルカメラを示す平面図である。
【図８】（ａ）及び（ｂ）は従来のカメラ付き携帯電話を示す平面図である。
【図９】自分撮りを行う場合のカメラ付き携帯電話の第１の構え方を説明する平面図であり。（ａ）はユーザから見た場合のカメラ付き携帯電話を示し、（ｂ）は表示部に表示される画像の向きを示す。
【図１０】自分撮りを行う場合のカメラ付き携帯電話の第２の構え方を説明する平面図であり。（ａ）はユーザから見た場合のカメラ付き携帯電話を示し、（ｂ）は表示部に表示される画像の向きを示す。
【符号の説明】
【００６８】
１、２１  第１筐体
２、２２  第２筐体
３、２３  ヒンジ部
４、１５、２４  表示部
５、１６、２５  操作部
６、１７、２６  レンズ
７、２７  サブ表示部
８、１９  第１シャッタボタン
９、２０  第２シャッタボタン
１０  決定キー
１１  通常撮影指定ボタン
１２  自分撮り指定ボタン
１３、１４  筐体
１８  フラッシュ
２８  シャッタボタン
【図１】
2009164755.tif 000003
【図２】
2009164755.tif 000004
【図３】
2009164755.tif 000005
【図４】
2009164755.tif 000006
【図５】
2009164755.tif 000007
【図６】
2009164755.tif 000008
【図７】
2009164755.tif 000009
【図８】
2009164755.tif 000010
【図９】
2009164755.tif 000011
【図１０】
2009164755.tif 000012